(57)【要約】【課題】  大雨や津波や洪水などの浸水があったときに建築物の外周に簡単に組み立てることができる構造で、しかも止水構造に優れた防水パネルの組立構造を提供する。【解決手段】  建築物の外周の所定に位置に配置される角隅柱２と、角隅柱２と角隅柱２の間に連結される防水パネル３とを備え、角隅柱２の位置を基準にして、防水パネル３を連結させる。また、防水パネルと防水パネル同士をその外周に設けられた凹部３ｍと凸部３ｔにより連結する。【選択図】  図１
2018096064.tif 000002
【特許請求の範囲】
【請求項１】
大雨や津波や洪水などで建物に浸水があったときに建築物への浸水を防止する防水パネルの組立構造であって、多角形状の防水パネルと防水パネル同士を連結するに際して、一の防水パネルの角部の二辺にＬ字状に突出する凸部と、他の防水パネルの角部の二辺にＬ字状に窪む凹部とを形成して、これら凹部と凸部を互いに嵌合して連結することを特徴とする防水パネルの組立構造。
【請求項２】
大雨や津波や洪水などで建物に浸水があったときに建築物への浸水を防止する防水パネルの組立構造であって、建築物の外周に配置される角隅柱と、角隅柱と角隅柱の間に連結される防水パネルとを備え、角隅柱の位置を基準にして、多角形状の防水パネルを角隅柱にその外周に設けられた凹部と凸部により連結させるに際して、防水パネルの一方角部の二辺にＬ字状に突出する凸部か、及び／又は、他方角部の二辺にＬ字状に窪む凹部とを形成し、これらに対応する凹部及び／又は凸部を角隅柱に形成して、これら凹部と凸部を互いに嵌合して連結することを特徴とする防水パネルの組立構造。
【請求項３】
大雨や津波や洪水などで建物に浸水があったときに建築物への浸水を防止する防水パネルの組立構造であって、建築物の外周に配置されるレール部材と、レール部材に連結される防水パネルとを備え、多角形状の防水パネルの角部の二辺にＬ字状に突出する凸部か、及び／又は、角部の二辺にＬ字状に窪む凹部とを形成し、これら対応する凹部及び／又は凸部をレール部材に形成して、これら凹部と凸部を互いに嵌合して連結することを特徴とする防水パネルの組立構造。
【請求項４】
防水パネルは、四角形状であって、その四角形状の対角線上に位置をずらして前記一方角部と他方角部から突出するＬ字状の凸部と窪む凹部の突出量と窪み量を調節することを特徴とする請求項１ないし３のいずれか１項記載の防水パネルの組立構造。
【請求項５】
前記防水パネルの凹部に防水シールが配されていることを特徴とする請求項１ないし３のいずれか１項記載の防水パネルの組立構造。
【請求項６】
角隅柱又は防水パネルの少なくとも裏面に補強部材を固定するための固定用の枠が複数形成されていることを特徴とする請求項１ないし３のいずれか１項記載の防水パネルの組立構造。
【請求項７】
建築物がコンクリートやモルタルなどの下敷き施工を施した基礎上に建てられるものであり、基礎上に防水パネル又は角隅柱の凹部又は凸部に対応する凹部又は凸部を設けて、前記レール部材の凹部又は凸部と角隅柱と防水パネルの凹部又は凸部とを連結させることを特徴とする請求項１ないし７のいずれか１項記載の防水パネルの組立構造。
【請求項８】
前記防水パネル又は角隅柱の凹凸による連結は、互いの凹凸によるレール式の摺動取り付けであるとともに、このレール式の摺動動作により取外し可能な状態になっていることを特徴とする請求項１ない８のいずれか１項記載の防水パネルの組立構造。
【発明の詳細な説明】
【技術分野】
【０００１】
本発明は、大雨や津波や洪水などで建物に浸水があったときに建築物への浸水を防止する防水パネルの組立構造に関する。
【背景技術】
【０００２】
大雨や津波や洪水などで建物に浸水があったときに建築物への浸水を防止する必要がある。そして、近年の気象条件の変化により、台風の進路や、大雨や洪水が生じる地域に変化をもたらしており、従来に洪水の被害がないとされていた地域でも、大雨による洪水や浸水被害が生じる可能性が高まっている。このため、大雨や津波や洪水などで建物に浸水があったときに建築物への浸水を防止するためには、気象条件の変化に対応した対応が求められる。
【０００３】
特許文献には、特殊なユニット工法やパネル工法による建築物等の新築に際しては、単位ユニット全体を防水シートで被覆する例や（特許文献１参照）、隣接するパネル間で表面の防水シートを重ね合わせるというような提案例（特許文献３参照）が見られる。また、特許文献４には、構造物の屋内側と屋外側とを連通し、かつ開閉体によって開閉される開口部に設置されるシートと、前記シートを前記開閉体よりも屋外側の位置で前記構造物に対して保持する保持部とを備え、前記保持部は、前記シートが前記開閉体の鉛直方向下端側の所定部と、前記構造物のうち前記所定部に隣接する部分とを一体に覆うことで前記開口部の鉛直方向下端側を閉塞し、かつ前記シートの鉛直方向下端部が床面に沿って屋外側に向けて延在するように前記シートを保持することを特徴とする開口部の防水装置が開示されている。
また、本願出願人も、建築物の浸水防止領域に配される浸水防止シートを使用して、建築物への水の進入を防止する防水シートの組立構造やこの工法に使用する浸水防止シートの特許出願を行ない、その内容が開示されている（特許文献５から７）。
【０００４】
さらに、防水パネルを連結するものとしては、特許文献８があり、「床２に着脱可能に立設する水防壁１であり、水防壁１は方形の水防板３Ａの周縁部に９０°裏側へ屈曲した縁枠７を有し、縁枠７の外側に漏水防止用ゴム８が当着された床に着脱可能に立設し、かつ横方向に連結する複数の水防体３と、直角三角形状の板状体で周側縁に９０°一方の側へ屈曲した縁枠１６を有し、水防体３の裏側に水防体３と共に床に着脱可能に取り付ける支持体４から構成される。水防体３の両側部にボルト貫通孔を設け、底部にボルト挿通長孔を設ける。支持体４の底辺の縁枠１６の前部にボルト挿通長孔に対応する位置にボルト挿通孔を設け、後部に先端が床面に当接する調節ボルトを設ける。」（請求項１）が記載されている。また、特許文献９には、「洪水、冠水などに際し、家屋や建物の玄関口あるいは地下鉄や地下道の入口を囲むように複数の止水体を連結して浸水を防止する止水壁であって、この止水壁を構成する止水体は、可撓性を有する側壁板を備え、その側壁板は、下端部を自由端とした逆Ｕ字状の断面形状であり、前記複数の止水体の連結時に隣接する一方の止水体の側壁板の自由端を前後方向に開いて隣接する他方の側壁板に重ね合わせることによって止水体を相互に連結して成ることを特徴とする止水壁。」が記載されている。
また、特許文献１０には、板状芯材の両面に表面材が装着されると共にその側端面には長辺方向に凹溝が延設されてなる第１及び第２のサンドイッチパネルを、パネル面を面一にし、かつ各サンドイッチパネルの側端面を突き合わせるようにして立設して室壁の平壁部を構築する方法において、室の寸法に合わせて第１のサンドイッチパネルを縦に切断し、未切断の第２のサンドイッチパネルの側端面の凹溝に嵌合する凸条と、切断された第１のサンドイッチパネルの背面に回り込むフランジ部とを有した連結金具を用い、該連結金具の凸条を該第２のサンドイッチパネルの凹溝に嵌合させ、連結金具のフランジ部を第１のサンドイッチパネルの背面に当接させてビス止めすることにより、該第１及び第２のサンドイッチパネルを連結するようにしたことを特徴とする室壁の構築方法。」（請求項１）が記載されている。また、板状芯材の両面に表面材が装着されてなる第１及び第２の壁パネルを、パネル面を直交させ、かつ各壁パネルの側端面をコーナー金具を介して連結して室壁の隅部を構築する方法において、室の寸法に合わせて一方の壁パネルを縦に切断し、第１の壁パネルのコーナー側の端部を受容するコ字形部と、該コ字形部と一体であり第２の壁パネルの背面に当接するフランジ部とを有したコーナー金具を用い、該コーナー金具のコ字形部に第１の壁パネルのコーナー側の端部を嵌合させ、第２の壁パネルのコーナー側の端部背面を該フランジ部に当接させてビス止めすることにより、該第１及び第２の壁パネルを連結するようにしたことを特徴とする室壁の構築方法。」（請求項２）が記載されている。
【先行技術文献】
【特許文献】
【０００５】
【特許文献１】特開平９−２２８４９５号公報
【特許文献２】特開２００３−３１４１７３号公報
【特許文献３】特開２０１１−９９２２６号公報
【特許文献４】ＷＯ  ２０１３／０６９５７４  Ａ１
【特許文献５】特開２０１３-１５１８５６号公報
【特許文献６】特開２０１３-１５１８５４号公報
【特許文献７】特開２０１３-１５１８５３号公報
【特許文献８】実用新案登録第３０８４９８８号公報
【特許文献９】特許第４８４５８２７号公報
【特許文献１０】特許第２５８０９０４号公報
【発明の概要】
【発明が解決しようとする課題】
【０００６】
ところで、浸水防止用の防水パネルは、簡単に組み立てられて、洪水等に対応できて、他方で、簡単に除去できることが望まれる。洪水時でも、非常の場合は脱出できる構造である必要がある。また、防水パネルは、耐水性の素材や厚さが求められるが、取り付けや交換の便宜を考えると、薄くて取り扱い容易で、かつ、止水構造のものが必要である。
しかしながら、従来の防水パネルは、凹部と凸部を互いに単に嵌合させるものがほとんどである（特許文献８〜１０）が、四角形状の防水パネルの連結に際して、互いの角部では、止水性（防水性）が図られないのみならず、耐圧性が図られていないのが実情である。また、従来の防水パネルは、ネジやボルトや取り付け金具を使用して防水パネルを連結固定するものがほとんどである（特許文献８〜１０）が、防水パネルと防水パネルとを組み合わせた後にねじ止めやボルト止めする作業は面倒である。
そして、従来の防水パネルでは、その大きさや種類の異なるものを、いくつも製造しておき、それらをネジやボルトなどで連結させる面倒な作業が必要になっていたが、これでは、非常時に脱出できないおそれがある。
【０００７】
さらに、防水パネルは、運搬や取替えを考慮すると薄いほうが良いが、想定外の洪水を予想して防水パネルの素材や厚みを設けると、頑丈や鋼鉄製にしなければならなくなったり極めて厚い防水パネルを使用せざるを得なくなる。また、建築物の外周は、コンクリートやモルタル、木材であったり、トタン張りにすぎなかったり、窓部（空気出し入れ口）が設けられていたり、冷暖房の室外機や発電システムのボックスが配置されていたり、様々な外周環境であり、シートで一律に覆ったりすることはできないのが通常である。
【０００８】
そこで本発明の目的は、大雨や津波や洪水などの浸水があったときに、建築物の外周に簡単に取り付け取外しができる構造で、しかも止水構造に優れた防水パネルの組立構造を提供することにある。
【課題を解決するための手段】
【０００９】
本発明は、大雨や津波や洪水などで建物に浸水があったときに建築物への浸水を防止する防水パネルの組立構造であって、多角形状の防水パネルと防水パネル同士を連結するに際して、一の防水パネルの角部の二辺にＬ字状に突出する凸部と、他の防水パネルの角部の二辺にＬ字状に窪む凹部とを形成して、これら凹部と凸部を互いに嵌合して連結することを特徴とする。また、本発明は、大雨や津波や洪水などで建物に浸水があったときに建築物への浸水を防止する防水パネルの組立構造であって、建築物の外周に配置されるレール部材と、レール部材に連結される防水パネルとを備え、多角形状の防水パネルの角部の二辺にＬ字状に突出する凸部か、及び／又は、角部の二辺にＬ字状に窪む凹部とを形成し、これら対応する凹部及び／又は凸部をレール部材に形成して、これら凹部と凸部を互いに嵌合して連結することを特徴とする。
本発明によれば、多角形状の防水パネルの角部の二辺にＬ字状の凹部と凸部を設けて、連結させる構造であるので、防水パネルと防水パネルの角部同士の止水構造に優れた効果を発揮するとともに、連結方向（組立方向）が認識できるので簡単に組み立てられる。このような防水パネルは、互いの凹凸を動かすようにして取り付けることができ、ネジやボルトを使用しなくとも容易に組み立てられる。また、建築物の外周に配置されるレール部材と、レール部材に連結される防水パネルとをセットとして販売するだけで、これを購入するものは、自宅の浸水防止の組み立てが可能になる。
【００１０】
また、本発明は、大雨や津波や洪水などで建物に浸水があったときに建築物への浸水を防止する防水パネルの組立構造であって、建築物の外周に配置される角隅柱と、角隅柱と角隅柱の間に連結される防水パネルとを備え、角隅柱の位置を基準にして、多角形状の防水パネルを角隅柱にその外周に設けられた凹部と凸部により連結させるに際して、防水パネルの一方角部の二辺にＬ字状に突出する凸部か、及び／又は、他方角部の二辺にＬ字状に窪む凹部とを形成し、これらに対応する凹部及び／又は凸部を角隅柱に形成して、これら凹部と凸部を互いに嵌合して連結することを特徴とする。角隅柱としては、防水パネルが嵌合可能な凹部と凸部が多数形成されていることが好ましい。
本発明によれば、防水パネルは、その外周の凹部と凸部により、多角形状の角部における止水効果が図られるとともに、建築物の外周に配置される角隅柱を基準にして、角隅柱と角隅柱の間に防水パネルを連結させる構造であるために、防水パネルを安定かつ順序良く効率的に組み立てることができる。したがって、建築物の外周に予め角隅柱のみ設置しておき、大雨による洪水時にのみ防水パネルを組み立てるようにすることができる。
【００１１】
本発明としては、防水パネルは、外周のＬ字状の凹部や凸部は樹脂成型で一体的に構成可能である。しかし、表裏のパネルと、表裏のパネルの間に配される中間パネルとを備え、これらのパネルは同じ大きさの四角形状であって、かつ中間パネルは同じ位置の表裏のパネルに対してその対角線上に位置をずらして配置されて表裏のパネルの角度から突出する凸部と窪んで表裏のパネルのみからなる角部を形成することが可能である。
本発明によれば、防水パネルの種類は一つで済み、防水パネルを安定かつ順序良く効率的に組み立てることができる。また、表裏のパネルの間に中間パネルとして配置すると、レール上を移動させることができるので、組み立て作業性の向上が図られる。特に、防水パネルは、四角形状であり（正方形又は長方形）として、その対角線上の角部を含む二辺に凸部が形成され、他方の対角線上の角部を含む二辺に凹部が形成されていることにより、防水パネルと防水パネルとを連結させたときの角部（凹凸部ではなく、防水パネルとしての四角形状の角部）の止水構造の向上が図られる。
【００１２】
本発明としては建築物がコンクリートやモルタルなどの下敷き施工を施した基礎上に建てられるものであり、基礎上に防水パネル又は角隅柱の凹部又は凸部に対応する凹部又は凸部を設けて、前記レール部材の凹部又は凸部と角隅柱と防水パネルの凹部又は凸部とを連結させることを特徴とする。
本発明によれば、レール部材を建築物の外周に配置して、レール部材の上に角隅柱と防水パネルの凹部又は凸部に対応する凹部又は凸部を設けて、レール部材の凹部又は凸部と角隅柱と防水パネルの凹部又は凸部とを連結させることを特徴とする。
本発明としては、角隅柱又は防水パネルの少なくとも裏面に補強部材を固定するための固定用の枠が複数形成されていることを特徴とする。
本発明によれば、角隅柱や防水パネルの枠に補強部材を差し込むようにして、補強部材の位置がずれないようにして連結させることにより、防水パネルや角隅柱の厚さを薄くしたままで補強することができる。したがって、防水パネルや防水シートを建築物の側に配置して、これらと建築物の外周に配置した角隅柱や防水パネルとの間の補強が補強部材の位置がずれないようにして補強することができる。
【００１３】
本発明としては、前記防水パネル又は角隅柱の凹凸による連結は、互いの凹凸によるレール式の摺動取り付けであるとともに、このレール式の摺動動作により取外し可能な状態になっていることを特徴とする。
本発明によれば、ネジやボルトを使用しないので、前記防水パネル又は角隅柱の凹凸による連結は、互いの凹凸によるレール式の摺動取り付けがかのうである。また、非常時における脱出などの場合、このレール式の摺動動作により取外し可能な状態になっているので、スライド動作により防水パネルを移動させて脱出することができる。
【発明の効果】
【００１４】
本発明によれば、防水パネルはその多角形状の角部の二辺にＬ字状の凹部と凸部を設けて、連結させる構造であるので（本来の角度の外周に凹凸が設けられているので）、防水パネルと防水パネルの角部同士の止水構造に優れた効果を発揮するとともに、連結方向（組立方向）が認識できるので簡単に組み立てられる。このような防水パネルは、レール部材上を動かすようにして取り付けることができ、ネジやボルトを使用しなくとも組み立てられる。そして、前記防水パネル又は角隅柱が建築物の外周に予め配置して、建築物の門柱や外周ブロックの役割を果たして、建築物に対する浸水が予想されるときに、角隅柱又は防水パネルを連結させて組み立てることにより、浸水のない時のみならず浸水時に早急に組み立てられることになる。また、非常時における脱出などの場合、このレール式の摺動動作により取外し可能な状態になっているので、スライド動作により防水パネルを移動させて脱出することができる。
【図面の簡単な説明】
【００１５】
【図１】本発明の実施形態の防水パネルの組立構造を説明する斜視図である。
【図２】上記実施形態の防水パネルの組立構造を説明する斜視図である。
【図３】上記実施形態の防水パネルの組立構造を説明する断面図である。
【図４】本発明の実施形態の防水パネルの組立構造を説明する斜視図である。
【図５】上記実施形態の防水パネルの組立構造を説明する斜視図である。
【図６】本発明の防水パネルの組立構造を説明する斜視図である。
【図７】本発明の防水パネルの組立構造を説明する斜視図である。
【図８】本発明の防水パネルの組立構造を説明する斜視図である。
【図９】上記実施の形態の角隅柱と防水パネルの組立構造を説明する斜視図である。
【図１０】上記実施の形態の防水パネルの組立構造を説明する図であり、（ａ）は民家の外周に組み立てた例の斜視図であり、（ｂ）はその玄関口の組み立て構造の断面図である。
【図１１】上記実施形態の防水パネルの組立構造の他の例を説明する図である。
【図１２】上記実施形態の防水パネルの組立構造を説明する図である。
【図１３】本発明の防水パネルの固定用の枠に補強部材を取り付けた状態を示す斜視図である。
【図１４】本発明のパネルの種類を説明する図である
【発明を実施するための形態】
【００１６】
以下、本発明の一実施の形態を図面を引用しながら説明する。
【００１７】
防水パネルの組立構造１は、図１ないし図３に示すように、建築物の外周の所定に位置に配置される角隅柱２と、角隅柱２と角隅柱２の間に連結される防水パネル３とを備え、角隅柱２の位置を基準にして、防水パネル３を連結させる。また、防水パネルと防水パネル同士をその外周に設けられた凹部３ｍと凸部３ｔにより連結する。
本実施の形態の防水パネル３は、表裏の一方側防水パネル３ａと他方側防水パネル３ｂと、表裏のパネルの間に配される中間パネル３ｃとを備え、これら表裏のパネルと中間パネルは同じ大きさで厚みも同じである。防水パネル３は、長さが異なる防水パネル３を使用して組み立てると、防水パネル３の角部３Ｋ同士の防水効果が高められるとともに、水圧に対して弱くなる部分をなくす効果を有する（図１（ｂ））。そして、防水パネル同士は、その外周に設けられた凹部３ｍと凸部３ｔにより、上下方向と左右に連結可能な構造であり、角隅柱２は、断面で直角形状を呈する左右両側に凸部２ｔ又は凹部２ｍが形成され、防水パネル３の凹部３ｍ又は凸部３ｔに嵌合する。また、従来のものでは、単に凹部と凸部を嵌合させるに過ぎなかったり、ネジやボルトで防水パネルを固定するものが多いが、本発明の施工方法によれば、ネジやボルトを使用せずに組み立てられて、防水パネル３の外周角部３Ｋからの浸水を防止することができる。
【００１８】
防水パネル３としては、その大きさを異ならせることもできる。例えば、防水パネル３は、四角形状であるが、正方形と長方形の防水パネル３，３を組み合わせることも可能である（図１、図２）。長方形同士や正方形同士を連結させる場合と比べて、正方形と長方形の防水パネル３，３を組み合わせると、上下方向において、防水パネルと防水パネルとの境界線３ｊの位置を上方と下方とでずらすことができるので、水圧がかかる位置が直線状になることを防止できる。また、防水パネル３に防水シール３ｓを配置することもできる。（図３（ａ）（ｂ））。防水シール３ｓとしては、ゴム製や合成樹脂製などで作り、防水パネルの角部での防水性を高めることができる。防水シール３ｓは、前記Ｌ字状の凹部３ｍに配置することで、外観からは見えなくすることができるが、その形状としては、Ｌ字状や十字型や直線状などが考えられる。また、防水シール３ｓの役割として、後述の連結部材３ｒ１，３ｒ２等として兼用することも可能である。
図１１（ａ）は、防水パネル３は、その対角線上の角部３Ｋを含む二辺にＬ字状の凸部が形成され、他方の対角線上の角部３Ｋを含む二辺にＬ字状の凹部が形成されており、中間パネル３ｃを表裏のパネル３ａ，３ｂの対角線上に対応させて移動させる例である。このように対角線上の移動させる位置に中間パネル３ｃを配置すると、対角線上の角部３Ｋを含む二辺にＬ字状の凹部３ｍが形成されることで、左右の突出量を同じくして形成することができる（図１１（ａ）において、３Ｈ１＝３Ｈ２）。そして、この対角線上の位置にずらした位置が異なるものを組み合わせて使用することも可能であり、このような場合は、Ｌ字状の連結部材３ｒ１，３ｒ２等を使用して、四角形状になるようにして組み合わせることも可能である（図１２（ａ）（ｂ））。上記連結部材３ｒ１，３ｒ２を上記防水シール３ｓとして兼用することも可能である。
また、角隅柱３と防水パネル３との組み合わせとしては、防水パネル３を三角形、菱形、平行四辺形、台形や六角形など多角形にして組み立てることができる（図１４（ｂ））。そして、これらを組み合わせて角隅柱２に対して連結可能である。これらの場合、例えば、平行四辺形の例（符号３ｐｒ，３ｐ２）や台形（符号３ｐｄ）など多角形を連結部材して、他の形状の防水パネル３や連結部材との連結することができる（図１４（ａ））。また、これら多角形状の凹部３ｍと凸部の数は一つに限らず、中間パネル３ｃの数を多くして形成して、互いに嵌合させることも可能である（図９（ｂ））。このような防水パネル３の例としては、防水パネル３を、建築物Ｋの外壁として美観性を高めるための出窓のデザインなどとして活用できる。
【００１９】
図７（ａ）（ｂ）は、上記防水パネル３を９０度に折り曲げたものである。したがって、後述の角隅柱２を使用することなく、建築物の外周を防水パネル３だけで囲むことができこの防水パネル３のみで浸水防止が図られる。図７（ｃ）（ｄ）は、上記防水パネル３をＲ（アール）形状にしたものである。このように折り曲げて使用する角度は自由であり、これら二つを組み合わせることも可能である。
【００２０】
角隅柱２は、建築物Ｋの外周の所定個所に配置される。本実施の形態の建築物Ｋの外周には４か所の角隅柱がコンクリートＣの基礎Ｃ１の上に取り付けられている（図１０）。各角隅柱２は、横断面がＬ字状の直角のものであるが（９０度の角度）を備えるが、その角度には限定はなく、また、十字形状やＴ字形状にすることもできる。また、Ｌ字状の左右の凹部２ｍと凸部２ｔも、逆に凹部２ｍとしても凸部２ｔに形成しても良い。
また、本実施の形態では、図９に示すように、小片９を角隅柱２の凹部２ａに差し込むことり、前記凹部を凸部に変更することができる（図９（ｂ））。凸部のみを有する小片９Ａや、凹凸部のみを有する小片９Ｂを介在させることにより、防水パネル３の取り付け方向を角隅柱２を介して逆向き、すなわち凹部と凸部の向きは逆になるように取り付けることができる。したがって、前記凹部２ａを凸部２ｂに変更できるので、組み立てる方向や、凹凸の方向を揃えることができる。
【００２１】
したがって、本実施の形態では、ネジや取り付け金具などを使用せずに、建築物の浸水防止を行うことができる。また、建築物の外周に、角隅柱２と角隅柱２を配置して、防水パネル３ａ，防水パネル３ｂのほかに、垂直に配される一方側防水パネルと他方側防水パネル１ｃが配置されている（図５、図６）。水平方向に配置される一方側防水パネル３ａと他方側防水パネル３ｂと、垂直に配される一方側防水パネル３ａと他方側防水パネル３ｂとは、連結状態にして（間隔を開けないで）配置させることで密着構造になるが、特に防水パネル３と防水パネル３の互いの角部３Ｋでの止水構造が図られる。
【００２２】
このような構造の角隅柱２は、門柱や電柱等として兼用することができ、洪水等がなくても所定個所に配置しておくことができる。また、防水パネル３が建築物の外周ブロックや外周壁としての役割を兼用して、建築物の外周の所定個所が予め組み立てられていることから、大雨や津波や洪水などの災害時には、予め組み立てられた部分に引き継いで連続的に組み立てるだけで足りるので、効率的に組み立てることができる。例えば、角隅柱が門柱や電柱等として配置したり、冷暖機器の室外機やゴミの収集箱を覆うように角隅柱を予め配置しておき、この予め配置された位置を基準にして防水パネルを効率的に組み立てることができる。
【００２３】
図８（ａ）（ｂ）において、建築物Ｋの基礎はコンクリートであるが、角隅柱２と防水パネル３の位置までこのコンクリートが及んでいることが好ましい。上記コンクリートＣには、角隅柱２防水パネル３の下端側を固定するレール部材Ｃ１，Ｃ２が取り付けられている。レール部材Ｃ１，Ｃ２は、建築物Ｋの外周において連続する凸条であるが、凹条部とすることもできる（図８（ｂ））。凸条とするときは、角隅柱２や防水パネル３の凹部が嵌合し、凹条部とするときは、角隅柱２や防水パネル３の凹部が嵌合する。しかし、設置個所によっては、コンクリートを及ぼすことができない場合には、少なくとも玄関口では、所定範囲でコンクリートを配置することが好ましい。
例えば、建築物の玄関口では、玄関口のコンクリートＣの上に基礎面積が大きい箇所（開口口）に施工することが好ましい。空気孔よりも高い位置になるようにすることが好ましい（図１（ｃ））。上記コンクリートがないときは、盛り土を配置したり、所定の大きさのブロックを配置して（図７（ｂ））、コンクリートに代替することができる。また、建築物Ｋの基礎が及ぶ範囲でレール部材Ｃ１を配置して、その上に角隅柱２や防水パネル３を取り付けることができる。そして、洪水被害が大きく、非常時の脱出などのときには、所定個所の防水パネル３をスライド動作で容易に取り外すことができるので（図１０（ｂ））、安全に脱出することができる。
【００２４】
図１３（ａ）（ｂ）は、上記パネル３ｂに一方の面に固定用枠３ｗが設けられて、補強部材５を取り付けた実施例である。この固定用の枠３ｗは、補強部材５を介して建物を支持するときなどに使用するものであり、補強部材５の位置ずれを防止する（図１３）。防水パネルの背面側には、所定間隔で固定用枠部１ｗを形成しておき、補強部材５の一方側端部を差し込むようにできる構造になっており、補強部材５の位置ずれがしないようになっている。この固定用の枠３ｗの大きさは、補強部材５の一方端部の形状に対応して形成しておくことが好ましい。建築物等の外周に防水シートや防水パネルを配しておき、これらとの間で補強部材５を介して防水パネル３や角隅柱２を補強しても良い。
上記固定用の枠３ｗの例は、防水パネル３に固定用の枠３ｗを設ける例で説明したが、角隅柱２に固定用の枠を形成して、建築物Ｋとの間で補強部材を介して補強したり、防水パネル３と防水パネル３との連結に使用することも可能である。また、防水パネル３と防水パネル３とを補強部材５を介して配置して、防水パネル３の厚さを厚くしないでも水圧に耐え得るようにすることができる。
【００２５】
以上、本実施の形態の防水パネルは、四角形状のもので説明したが、実施の形態の例でも説明したように、菱形や台形型や、或いは、多角形状の防水パネルとすることも可能であり、また、樹脂加工で一体的に構成することもできる。このように、上記実施の形態は、上記実施の形態に限らず、幅広い応用が可能である。
【符号の説明】
【００２６】
１        防水パネルの組立構造、
２        角隅柱、２ｂ，２ｂ    表裏のパネル、２ｃ  中間パネル、
２ｔ      角隅柱の凸部、２ｍ  角隅柱の凹部、
３        防水パネル、３ａ，３ｂ    表裏のパネル、３ｃ  中間パネル、
３ｔ      防水パネルの凹部、３ｔ  防水パネルの凹部、３ｓ  防水シール、
３ｗ      固定用の枠、
３Ｋ      防水パネルの角部（表裏のパネルの角部）、
５        補強部材、
Ｋ        建築物（外周壁、外壁）、
Ｃ        建築物の基礎（コンクリート、モルタル）、Ｃ１，Ｃｒ  レール部材
【図１】
2018096064.tif 000003
【図２】
2018096064.tif 000004
【図３】
2018096064.tif 000005
【図４】
2018096064.tif 000006
【図５】
2018096064.tif 000007
【図６】
2018096064.tif 000008
【図７】
2018096064.tif 000009
【図８】
2018096064.tif 000010
【図９】
2018096064.tif 000011
【図１０】
2018096064.tif 000012
【図１１】
2018096064.tif 000013
【図１２】
2018096064.tif 000014
【図１３】
2018096064.tif 000015
【図１４】
2018096064.tif 000016